(57)【要約】【課題】鞍乗り型ハイブリッド車両において、車幅方向に大型化することを抑制する。【解決手段】エンジン２０と、エンジン２０の駆動力を後輪４に伝達する変速機４１と、駆動モータ５０と、を備えた自動二輪車において、変速機４１は、エンジン２０のクランクシャフト２１の側に配置されるドライブプーリ４２と、後輪４の側に配置されるドリブンプーリ４３と、を備え、駆動モータ５０の少なくとも一部は、車幅方向でドリブンプーリ４３と重なって配置され、側面視で、モータ出力軸５１ａは、後輪４の車軸４ａとは異なる位置に配置されている。【選択図】図３
2017154675.tif 000002
【特許請求の範囲】
【請求項１】
エンジン（２０）と、前記エンジン（２０）の駆動力を後輪（４）に伝達する動力伝達機構（４１）と、モータ（５０）と、を備えた鞍乗り型ハイブリッド車両（１）において、
前記動力伝達機構（４１）は、
前記エンジン（２０）のクランクシャフト（２１）の側に配置されるドライブプーリ（４２）と、
前記後輪（４）の側に配置されるドリブンプーリ（４３）と、
を備え、
前記モータ（５０）の少なくとも一部は、車幅方向で前記ドリブンプーリ（４３）と重なって配置され、
側面視で、前記モータ（５０）の軸（５１ａ）は、前記後輪（４）の車軸（４ａ）とは異なる位置に配置されていることを特徴とする鞍乗り型ハイブリッド車両。
【請求項２】
前記モータ（５０）は、前記ドリブンプーリ（４３）の後端部（４３ｅ）よりも後方に配置されていることを特徴とする請求項１に記載の鞍乗り型ハイブリッド車両。
【請求項３】
前記ドリブンプーリ（４３）よりも車幅方向内側には、減速機構（６０）が設けられ、
前記ドリブンプーリ（４３）よりも車幅方向外側には、従動ギア（５８）が設けられ、
前記モータ（５０）よりも車幅方向外側には、前記モータ（５０）の駆動力を前記従動ギアに伝達する駆動ギア（５７）が設けられていることを特徴とする請求項１又は２に記載の鞍乗り型ハイブリッド車両。
【請求項４】
前記ドリブンプーリ（４３）よりも車幅方向外側には、遠心クラッチ（５５）が設けられ、
前記遠心クラッチ（５５）は、前記従動ギア（５８）よりも車幅方向内側に配置されていることを特徴とする請求項３に記載の鞍乗り型ハイブリッド車両。
【請求項５】
前記モータ（５０）の軸の車幅方向内端部を回転可能に支持する第一軸受（５３）と、前記駆動ギア（５７）よりも車幅方向外側に配置されるとともに、前記モータ（５０）の軸（５１ａ）の車幅方向外端部を回転可能に支持する第二軸受（５４）と、を更に備えていることを特徴とする請求項３又は４に記載の鞍乗り型ハイブリッド車両。
【発明の詳細な説明】
【技術分野】
【０００１】
本発明は、鞍乗り型ハイブリッド車両に関する。
【背景技術】
【０００２】
従来、鞍乗り型ハイブリッド車両において、例えば特許文献１に開示されたものがある。これは、後車軸と同軸上に遊星ギヤ機構を介して回転電機を配置したものである。
【先行技術文献】
【特許文献】
【０００３】
【特許文献１】特開２００６−２７１０４０号公報
【発明の概要】
【発明が解決しようとする課題】
【０００４】
しかし、後車軸と同軸上に遊星ギヤ機構を介して回転電機を配置すると、車幅方向に大型化する可能性があった。
【０００５】
そこで本発明は、鞍乗り型ハイブリッド車両において、車幅方向でコンパクト化することを目的とする。
【課題を解決するための手段】
【０００６】
上記課題の解決手段として、請求項１に記載した発明は、エンジン（２０）と、前記エンジン（２０）の駆動力を後輪（４）に伝達する動力伝達機構（４１）と、モータ（５０）と、を備えた鞍乗り型ハイブリッド車両（１）において、前記動力伝達機構（４１）は、前記エンジン（２０）のクランクシャフト（２１）の側に配置されるドライブプーリ（４２）と、前記後輪（４）の側に配置されるドリブンプーリ（４３）と、を備え、前記モータ（５０）の少なくとも一部は、車幅方向で前記ドリブンプーリ（４３）と重なって配置され、側面視で、前記モータ（５０）の軸（５１ａ）は、前記後輪（４）の車軸（４ａ）とは異なる位置に配置されていることを特徴とする。
請求項２に記載した発明は、前記モータ（５０）は、前記ドリブンプーリ（４３）の後端部（４３ｅ）よりも後方に配置されていることを特徴とする。
請求項３に記載した発明は、前記ドリブンプーリ（４３）よりも車幅方向内側には、減速機構（６０）が設けられ、前記ドリブンプーリ（４３）よりも車幅方向外側には、従動ギア（５８）が設けられ、前記モータ（５０）よりも車幅方向外側には、前記モータ（５０）の駆動力を前記従動ギアに伝達する駆動ギア（５７）が設けられていることを特徴とする。
請求項４に記載した発明は、前記ドリブンプーリ（４３）よりも車幅方向外側には、遠心クラッチ（５５）が設けられ、前記遠心クラッチ（５５）は、前記従動ギア（５８）よりも車幅方向内側に配置されていることを特徴とする。
請求項５に記載した発明は、前記モータ（５０）の軸の車幅方向内端部を回転可能に支持する第一軸受（５３）と、前記駆動ギア（５７）よりも車幅方向外側に配置されるとともに、前記モータ（５０）の軸（５１ａ）の車幅方向外端部を回転可能に支持する第二軸受（５４）と、を更に備えていることを特徴とする。
【発明の効果】
【０００７】
請求項１に記載した発明によれば、モータの少なくとも一部が車幅方向でドリブンプーリと重なっていることで、モータが車幅方向でドリブンプーリと重ならない位置（例えば、モータがドリブンプーリよりも車幅方向外側）に配置された場合と比較して、車幅方向でコンパクト化することができる。また、側面視でモータの軸が後輪の車軸とは異なる位置に配置されていることで、モータの軸が後輪の車軸と同軸上に配置された場合と比較して、車幅方向でより効果的にコンパクト化することができる。
請求項２に記載した発明によれば、モータがドリブンプーリの後端部よりも後方に配置されていることで、レイアウト上の制約を回避しつつ車幅方向でコンパクト化することができる。例えば、モータをドリブンプーリよりも前方に配置しようとした場合、ドリブンプーリの前方にはドライブプーリが存在するため、車幅方向外側に膨らむ可能性がある。一方、モータをドリブンプーリよりも下方に配置しようとした場合、地上高さの確保が難しくなる。さらに、モータをドリブンプーリよりも上方に配置しようとした場合、揺動時に上方の部材との干渉等を考慮する必要がある。
請求項３に記載した発明によれば、ドリブンプーリよりも車幅方向内側には減速機構が設けられ、ドリブンプーリよりも車幅方向外側には従動ギアが設けられ、モータよりも車幅方向外側にはモータの駆動力を従動ギアに伝達する駆動ギアが設けられていることで、従動ギア及び駆動ギアがドリブンプーリよりも車幅方向内側（すなわち、減速機構の側）に設けられた場合と比較して、十分なスペースを確保することができるため、ギア設計の自由度を向上することができる。
請求項４に記載した発明によれば、ドリブンプーリよりも車幅方向外側には遠心クラッチが設けられ、遠心クラッチは従動ギアよりも車幅方向内側に配置されていることで、遠心クラッチが従動ギアよりも車幅方向外側に配置された場合と比較して、車幅方向でより効果的にコンパクト化することができる。
請求項５に記載した発明によれば、モータの軸の車幅方向内端部を回転可能に支持する第一軸受と、駆動ギアよりも車幅方向外側に配置されるとともにモータの軸の車幅方向外端部を回転可能に支持する第二軸受とを更に備えていることで、モータの軸を両持ちにできるため、モータの軸を片持ちにした場合と比較して、モータの軸を安定して支持することができる。
【図面の簡単な説明】
【０００８】
【図１】本発明の実施形態における自動二輪車の左側面図である。
【図２】上記自動二輪車のパワーユニットの左側面図である。
【図３】図２のＩＩＩ−ＩＩＩ断面を含む図である。
【図４】図３の要部拡大図である。
【発明を実施するための形態】
【０００９】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、及び車両上方を示す矢印ＵＰが示されている。
【００１０】
＜車両全体＞
図１は、鞍乗り型ハイブリッド車両の一例としてのユニットスイング式の自動二輪車１を示す。図１を参照し、自動二輪車１は、ハンドル２によって操向される前輪３と、動力源を含むパワーユニット１０によって駆動される後輪４とを備えている。以下、自動二輪車を単に「車両」ということがある。
【００１１】
ハンドル２及び前輪３を含むステアリング系部品は、車体フレーム１１の前端のヘッドパイプ１２に操向可能に枢支されている。車体フレーム１１の下部後側には、パワーユニット１０の前部下側がリンク機構１９を介して上下揺動可能に枢支されている。
【００１２】
車体フレーム１１は、複数種の鋼材を溶接等により一体に接合して形成されている。車体フレーム１１は、その前端部に位置するヘッドパイプ１２と、ヘッドパイプ１２から斜め後下方へ延びるダウンパイプ１３と、ダウンパイプ１３の下端から後方へ向けて実質的に水平（詳細にはやや後上がり）に延びる中間フレーム１４と、中間フレーム１４の後端から斜め後上方へ延びる後部フレーム１５と、を備えている。
【００１３】
ハンドル２は、ステアリングシャフト５の上端にハンドルホルダを介して支持されている。ステアリングシャフト５は、ヘッドパイプ１２に挿通されて下端をヘッドパイプ１２から露出させている。ステアリングシャフト５の下端には、車幅方向に延びるブリッジ部材が設けられている。ブリッジ部材の左右には、フロントフォーク６が設けられている。左右のフロントフォーク６の下部間には、前輪３が回転可能に支持されている。
【００１４】
車体フレーム１１の外周は車体カバー７で覆われている。車体カバー７の後方かつ上面には、搭乗者が着座するシート８が固定されている。シート８よりも前方には搭乗者が足を置くステップフロア９が形成されている。シート８の下方には、例えばヘルメットや荷物等を収納するための収納ボックス１７が設けられている。シート８の下方かつ収納ボックス１７の後方には、バッテリ１８が設けられている。
【００１５】
＜パワーユニット＞
パワーユニット１０は、エンジン２０とその後部の動力伝達構造４０とを一体化したスイング式動力ユニットである。パワーユニット１０の前下部には、車体側に支持される支持ボス１０Ａが設けられている。支持ボス１０Ａは、リンク機構１９を介して車体フレーム１１の下部後側に上下揺動可能に支持されている。パワーユニット１０の後端と後部フレーム１５との間には、不図示のリヤクッションが掛け渡されている。
【００１６】
図２及び図３を併せて参照し、パワーユニット１０は、可燃性の混合気を燃焼させて出力を得る内燃機関であるエンジン２０と、始動機及び発電機として機能するＡＣＧスタータモータ３７と、クランクシャフト２１に連結されてエンジン２０からの動力を駆動輪である後輪４に伝達する変速機４１（動力伝達機構）と、発動機又は発電機として機能する駆動モータ５０（モータ）と、変速機４１の従動側と従動軸４９との間の動力伝達を断続させる遠心クラッチ５５と、変速機４１からの出力を減速して後輪４に伝達する減速機構６０と、を備えている。なお、図２において、符号１０Ｂは、リヤクッションの下端部が接続される懸架ボスを示す。
【００１７】
エンジン２０からの動力は、クランクシャフト２１から、変速機４１、遠心クラッチ５５、従動軸４９及び減速機構６０を介して後輪４に伝達される。
他方、駆動モータ５０からの動力は、駆動ギア５７、従動ギア５８、従動軸４９及び減速機構６０を介して後輪４に伝達される。
【００１８】
ＡＣＧスタータモータ３７及び駆動モータ５０には、バッテリ１８（図１参照）が接続されている。バッテリ１８は、駆動モータ５０が発動機として機能するとき及びＡＣＧスタータモータ３７が始動機として機能するときには、これらに電力を供給する。バッテリ１８は、ＡＣＧスタータモータ３７及び駆動モータ５０が発電機として機能するときには、これらの回生電力が充電されるようになっている。なお、エンジン２０、ＡＣＧスタータモータ３７及び駆動モータ５０の制御は、不図示の制御ユニットにより行われる。
【００１９】
＜エンジン＞
図２及び図３に示すように、エンジン２０は、クランクシャフト２１を車幅方向に沿わせた単気筒エンジンである。エンジン２０は、クランクシャフト２１を回転可能に支持しかつ収容するクランクケース２２と、クランクケース２２の前端部から前方に向けて略水平（詳細にはやや前上がり）に突出するシリンダ２３と、クランクシャフト２１にコンロッド２４を介して連結されたピストン２５と、を備えている。
【００２０】
シリンダ２３は、クランクケース２２の前端部に連結されるシリンダブロック２３ａと、シリンダブロック２３ａの前端部に連結されるシリンダヘッド２３ｂと、シリンダヘッド２３ｂの前端部を覆うヘッドカバー２３ｃと、を備えている。シリンダ２３内には、燃焼室２３ｓが形成されている。
【００２１】
ピストン２５は、シリンダ２３内を摺動可能である。ピストン２５の往復動は、コンロッド２４を介してクランクシャフト２１に伝達される。すなわち、ピストン２５の往復動により、クランクシャフト２１は、その中心軸線であるクランク軸線Ｃ１の回りに回転する。
【００２２】
シリンダヘッド２３ｂには、燃焼室２３ｓへの混合気の吸気又は排気を制御する不図示のバルブと、点火プラグ２６とが設けられている。バルブの開閉は、シリンダヘッド２３ｂに軸支されたカム軸２７の回転により制御される。カム軸２７の一端側には、従動スプロケット２８が設けられている。クランクシャフト２１の一端側には、駆動スプロケット２９が設けられている。従動スプロケット２８と駆動スプロケット２９との間には、無端状のカムチェーン３０が掛け渡されている。したがって、カム軸２７は、クランクシャフト２１の回転に連動して回転するようになっている。
【００２３】
カム軸２７の一端側には、エンジン２０を冷却するウォータポンプ３１が設けられている。ウォータポンプ３１は、その回転軸３１ａがカム軸２７と一体に回転するようにシリンダ２３に取り付けられている。したがって、カム軸２７が回転するとウォータポンプ３１を駆動させることができる。
【００２４】
なお、図２に示すように、シリンダヘッド２３ｂの上壁には吸気管３２が接続されている。吸気管３２は、後方に延びてスロットルボディ３３に接続されている。スロットルボディ３３は、コネクティングチューブ３４によってエアクリーナ３５に接続されている。エアクリーナ３５は、パワーユニット１０の上部に支持されている。これにより、エアクリーナ３５は、パワーユニット１０と一体に揺動するようになっている。
【００２５】
パワーユニット１０の後端部には、右方（車体中心側）に突出する後輪車軸４ａ（後輪４の車軸）が設けられている。そして、クランクシャフト２１の回転動力が動力伝達構造４０（例えば、変速機４１、遠心クラッチ５５、従動軸４９及び減速機構６０）を介して後輪車軸４ａに伝達されることで、後輪車軸４ａに支持された後輪４が駆動して自動二輪車１が走行する。なお、図中符号ＣＲは、クランク軸線Ｃ１と平行な軸線である後輪車軸４ａの中心軸線（後輪軸線）を示す。図３中符号６６は、ベアリングを介して後輪車軸４ａの右端部を回転自在に支持するアーム部を示す。
【００２６】
＜ＡＣＧスタータモータ＞
クランクケース２２の車幅方向右側には、ステータケース３６が連結されている。ステータケース３６の内部には、ＡＣＧスタータモータ３７が収容されている。ＡＣＧスタータモータ３７は、アウターロータ形式のモータである。ＡＣＧスタータモータ３７は、ステータ３８と、アウターロータ３９とを備えている。ステータは、ステータケース３６に固定されている。ステータ３８は、ティース３８ａと、ティース３８ａに導線を巻き掛けたコイル３８ｂと、を備えている。アウターロータ３９は、クランクシャフト２１に固定されている。アウターロータ３９は、ステータ３８の外周を覆う円筒状を有している。アウターロータ３９の内周面には、マグネット３９ａが設けられている。
【００２７】
アウターロータ３９には、ＡＣＧスタータモータ３７を冷却するためのファン３９ｂが取り付けられている。ステータケース３６の車幅方向右端には、ＡＣＧスタータモータ３７を覆うカバー３６ａが設けられている。カバー３６ａの車幅方向外側面には、冷却風取入口３６ｈが形成されている。そのため、ファン３９ｂがクランクシャフト２１に同期して回転すると、冷却風取入口３６ｈから冷却用の空気が取り入れられるようになっている。
【００２８】
＜伝動ケース＞
クランクケース２２の車幅方向左側には、伝動ケース４５が連結されている。伝動ケース４５は、車幅方向内側に配置された内ケース４６と、車幅方向外側に配置された外ケース４７と、を備えている。
【００２９】
図３の断面視で、内ケース４６は、前後に延びるとともに車幅方向外側（左側）を開放する箱状をなしている。図３の断面視で、外ケース４７は、前後に延びるとともに車幅方向内側（右側）を開放する箱状をなしている。
【００３０】
外ケース４７には、クランクシャフト２１を車幅方向外側（左側）から覆うカバー部材４７ａが取り付けられている。内ケース４６の側壁及び外ケース４７の側壁には、前後上下中央部に配置されるとともに、互いに相手側に向けて突出する中央固定部４６ｆ，４７ｆが設けられている。各中央固定部４６ｆ，４７ｆは、車幅方向で重なる位置に配置されている。
【００３１】
図２の側面視で、内ケース４６及び外ケース４７は、実質的に同じ外形を有している。内ケース４６の周壁及び外ケース４７の周壁には、周方向外方に突出する複数（例えば本実施形態では９個）の連結ボスが設けられている。なお、図２において外ケース４７の連結ボス４７ｃのみ図示し、内ケース４６の連結ボスは不図示とする。各連結ボスは、車幅方向で重なる位置に配置されている。
【００３２】
例えば、内ケース４６及び外ケース４７を車幅方向に重ね合わせた後、外ケース４７の各連結ボス４７ｃにボルトを挿通し、内ケース４６の各連結ボス（不図示の雌ネジ部）に螺着する。加えて、外ケース４７の中央固定部４７ｆにボルトを挿通し、内ケース４６の中央固定部４６ｆの雌ネジ部に螺着する。これにより、内ケース４６及び外ケース４７を連結することができる。
【００３３】
伝動ケース４５には、クランク軸線Ｃ１と平行な軸線を持つ従動軸４９が軸支されている。以下、クランク軸線Ｃ１と平行な軸線である従動軸４９の中心軸線を「従動軸線Ｃ２」という。従動軸４９は、車幅方向左側に配置されている。従動軸４９は、クランクシャフト２１と後輪車軸４ａとの間であって、後輪車軸４ａ寄りに配置されている。
【００３４】
＜変速機＞
伝動ケース４５の内部には、クランクシャフト２１に駆動側が連結された変速機４１が収容されている。変速機４１は、クランクケース２２から車幅方向に突出したクランクシャフト２１の左端部に装着されたドライブプーリ４２と、従動軸４９に装着されたドリブンプーリ４３と、ドライブプーリ４２とドリブンプーリ４３との間に巻き掛けられた無端状のＶベルト４４と、を備えている。すなわち、変速機４１は、Ｖベルト式無段変速機である。
【００３５】
＜ドライブプーリ＞
ドライブプーリ４２は、クランクシャフト２１に固定された駆動側固定プーリ半体４２ａと、クランク軸線Ｃ１に沿う方向に摺動可能にスリーブ４２ｇを介してクランクシャフト２１に取り付けられた駆動側可動プーリ半体４２ｂと、を備えている。駆動側可動プーリ半体４２ｂの背面側でクランクシャフト２１には、ランププレート４２ｃが固定されている。駆動側可動プーリ半体４２ｂとランププレート４２ｃとの間には、ウエイトローラ４２ｄが収容されている。駆動側固定プーリ半体４２ａと駆動側可動プーリ半体４２ｂとの間には、図３の断面視でＶ字状のベルト溝４２ｖが形成されている。
【００３６】
＜ドリブンプーリ＞
ドリブンプーリ４３は、従動軸線Ｃ２に沿う方向の摺動は規制されているが従動軸４９の周方向には回転自在に取り付けられた従動側固定プーリ半体４３ａと、従動軸線Ｃ２に沿う方向に摺動可能に取り付けられた従動側可動プーリ半体４３ｂと、を備えている。従動側固定プーリ半体４３ａには、従動軸４９を径方向外側から覆う筒状のボス部４３ｃが設けられている。すなわち、従動側可動プーリ半体４３ｂは、ボス部４３ｃにその軸方向に摺動可能に取り付けられている。
【００３７】
従動側可動プーリ半体４３ｂの背面側（車幅方向左側）には、従動側可動プーリ半体４３ｂを従動側固定プーリ半体４３ａ側に向けて常時付勢するスプリング４３ｄが設けられている。従動側固定プーリ半体４３ａと従動側可動プーリ半体４３ｂとの間には、図３の断面視でＶ字状のベルト溝４３ｖが形成されている。
【００３８】
＜Ｖベルト＞
Ｖベルト４４は、駆動側固定プーリ半体４２ａと駆動側可動プーリ半体４２ｂとの間、及び従動側固定プーリ半体４３ａと従動側可動プーリ半体４３ｂとの間にそれぞれ形成されたベルト溝４２ｖ，４３ｖに巻き掛けられている。
【００３９】
かかる構成において、クランクシャフト２１の回転数（エンジン回転数）が上昇すると、ドライブプーリ４２においては、ウエイトローラ４２ｄに遠心力が作用して駆動側可動プーリ半体４２ｂが駆動側固定プーリ半体４２ａ側に摺動する。すると、この摺動した分だけ駆動側可動プーリ半体４２ｂが駆動側固定プーリ半体４２ａに近接し、ドライブプーリ４２におけるベルト溝４２ｖの幅が減少する。そのため、ドライブプーリ４２とＶベルト４４との接触位置がドライブプーリ４２の径方向外側にずれ、Ｖベルト４４の巻き掛け径が増大する。これに伴い、ドリブンプーリ４３においては、ベルト溝４３ｖの幅が増加する。つまり、クランクシャフト２１の回転数に応じて、Ｖベルト４４の巻き掛け径が連続的に変化し、変速比が自動的かつ無段階に変化する。
【００４０】
すなわち、変速機４１は、クランクシャフト２１の回転数が大きいとき、ドライブプーリ４２ではＶベルト４４の巻き掛け径が大きくなり、ドリブンプーリ４３ではＶベルト４４の巻き掛け径が小さくなるように構成されている。そのため、小さい変速比でクランクシャフト２１の動力が従動軸４９に伝達される。
なお、図２において、符号４４ａは変速機４１の変速比が最大であるときのＶベルト４４を示し、符号４４ｂは変速機４１の変速比が最小であるときのＶベルト４４を示している。
【００４１】
＜遠心クラッチ＞
図４に示すように、遠心クラッチ５５は、ドリブンプーリ４３よりも車幅方向外側（左側）に配置されている。具体的に、遠心クラッチ５５は、従動側可動プーリ半体４３ｂと従動ギア５８との間（すなわち、従動ギア５８よりも車幅方向内側）に配置されている。
【００４２】
遠心クラッチ５５は、従動軸４９に固定されたカップ状のクラッチアウタ５５ａと、従動側固定プーリ半体４３ａのボス部４３ｃに固定されたインナプレート５５ｂと、インナプレート５５ｂの外縁部にウエイト５５ｃを介して径方向外側を向くように取り付けられたクラッチシュー５５ｄと、クラッチシュー５５ｄを径方向内側に付勢するクラッチスプリング５５ｅと、を備えている。
【００４３】
従動軸線Ｃ２に沿う方向から見て、クラッチアウタ５５ａの外形は、従動側可動プーリ半体４３ｂの外形よりも小さくなっている。すなわち、従動側可動プーリ半体４３ｂが従動軸線Ｃ２に沿う方向（具体的には、車幅方向外側）に摺動したときに、クラッチアウタ５５ａの一部が従動側可動プーリ半体４３ｂの径方向内側に入り込むようになっている。
【００４４】
かかる構成において、クランクシャフト２１の回転数が所定値以下の場合（例えば、３０００ｒｐｍ以下の場合）には、変速機４１（すなわち、ドリブンプーリ４３）と従動軸４９との間の動力伝達は遮断されている。
【００４５】
一方、クランクシャフト２１の回転数が所定値を越えると、ウエイト５５ｃに働く遠心力がクラッチスプリング５５ｅにより径方向内側に働く付勢力に抗し、ウエイト５５ｃが径方向外側に移動する。すると、クラッチシュー５５ｄの外周面の摩擦部材がクラッチアウタ５５ａの内周面に当接する。これにより、遠心クラッチ５５が接続状態となり、従動側固定プーリ半体４３ａの回転がインナプレート５５ｂを介してクラッチアウタ５５ａに伝達され、クラッチアウタ５５ａが固定された従動軸４９が駆動される。すなわち、ドリブンプーリ４３の回転が従動軸４９に伝達される。
【００４６】
＜駆動モータ＞
図４に示すように、伝動ケース４５の内部後側には、駆動モータ５０が収容されている。駆動モータ５０の少なくとも一部は、車幅方向で（すなわち、前後方向から見て）、変速機４１（すなわち、ドリブンプーリ４３）と重なっている。
【００４７】
駆動モータ５０の軸５１ａ（以下「モータ出力軸５１ａ」という。）は、車幅方向を指向して伝動ケース４５に軸支されている。モータ出力軸５１ａは、従動軸線Ｃ２と平行な軸線を持つ。以下、従動軸線Ｃ２と平行な軸線であるモータ出力軸５１ａの中心軸線を「モータ軸線Ｃｍ」という。
【００４８】
図２の側面視で、モータ出力軸５１ａは、後輪車軸４ａとは異なる位置に配置されている。具体的に、図２の側面視で、モータ出力軸５１ａは、従動軸４９よりも僅かに上方に位置するとともに、後輪車軸４ａよりも後下方に配置されている。
【００４９】
図２の側面視で、モータ出力軸５１ａは、上下方向でクランクシャフト２１及び従動軸４９と重なっている。すなわち、モータ出力軸５１ａは、前後方向でクランクシャフト２１及び従動軸４９と並ぶように配置されている。
【００５０】
図４の断面視で、駆動モータ５０は、ドリブンプーリ４３の後端部４３ｅよりも後方に配置されている。言い換えると、駆動モータ５０は、前後方向で、ドリブンプーリ４３を挟んでドライブプーリ４２（図３参照）とは反対側に配置されている。
【００５１】
駆動モータ５０は、インナーロータ形式のモータである。駆動モータ５０は、インナーロータ５１と、ステータ５２と、を備えている。
【００５２】
インナーロータ５１は、モータ出力軸５１ａと、カップ状をなすインナーロータ本体５１ｂと、インナーロータ本体５１ｂの外周面に設けられたマグネット５１ｃと、を備えている。インナーロータ本体５１ｂの車幅方向内端部の径方向中央部は、モータ出力軸５１ａとスプライン結合されている。インナーロータ本体５１ｂの車幅方向内端部の外周面には、被検知体５１ｄが取り付けられている。
【００５３】
ここで、図４の断面視で、モータ軸線Ｃｍに沿う方向におけるインナーロータ本体５１ｂの中心を「モータ中心Ｍｐ」とする。モータ中心Ｍｐは、車幅方向で、従動側固定プーリ半体４３ａのボス部４３ｃと、遠心クラッチ５５のクラッチアウタ５５ａとに重なっている。
【００５４】
ステータ５２は、伝動ケース４５の内壁に固定された環状のステータヨーク５２ａと、ステータヨーク５２ａに接合されかつモータ軸線Ｃｍに対して放射状に設けられた複数のティース５２ｂと、ティース５２ｂに導線を巻き掛けたコイル５２ｃと、を備えている。ステータヨーク５２ａには、被検知体５１ｄを検知するロータセンサ５２ｄが取り付けられている。
【００５５】
＜従動ギア＞
図４に示すように、ドリブンプーリ４３よりも車幅方向外側（左側）には、従動ギア５８が設けられている。従動ギア５８は、環状をなしている。従動ギア５８の径方向中央部には、従動軸線Ｃ２に沿う方向に開口する開口部５８ｈが形成されている。
【００５６】
従動ギア５８の開口部５８ｈには、クラッチアウタ５５ａの車幅方向外端部（図４の断面視で左側の凸部）が挿入されている。従動ギア５８は、開口部５８ｈに前記凸部が挿入された状態で、従動軸線Ｃ２の周方向に並ぶ複数（図４では２つのみ図示）の固定部材５９によってクラッチアウタ５５ａに固定されている。従動軸線Ｃ２に沿う方向から見て、従動ギア５８の外形は、クラッチアウタ５５ａの外形よりも大きくなっている。
【００５７】
＜駆動ギア＞
図４に示すように、駆動モータ５０よりも車幅方向外側（左側）には、駆動モータ５０の駆動力を従動ギア５８に伝達する駆動ギア５７が設けられている。駆動ギア５７は、円盤状をなしている。駆動ギア５７の径方向中央部は、モータ出力軸５１ａとスプライン結合されている。駆動ギア５７には、モータ軸線Ｃｍの周方向に間隔を空けて開口する複数（図４では２つのみ図示）の開口部５７ｈが形成されている。モータ軸線Ｃｍに沿う方向から見て、駆動ギア５７の外形は、ステータヨーク５２ａの外形よりも大きくなっている。
【００５８】
＜軸受＞
図４に示すように、伝動ケース４５の内部後側には、モータ出力軸５１ａの車幅方向内端部を回転可能に支持する第一軸受５３と、モータ出力軸５１ａの車幅方向外端部を回転可能に支持する第二軸受５４と、が設けられている。第二軸受５４は、駆動ギア５７よりも車幅方向外側に配置されている。第二軸受５４は、従動軸４９の車幅方向外端部を回転可能に支持する軸受４９ａ（具体的には、軸受４９ａの車幅方向外側端）よりも車幅方向内側に配置されている。
【００５９】
かかる構成において、駆動モータ５０は、エンジン２０の出力をアシストする際に発動機として機能する。加えて、駆動モータ５０は、モータ出力軸５１ａの回転を電気エネルギーに変換し、バッテリ１８（図１参照）に回生充電する発電機（ジェネレータ）としても機能する。
なお、駆動モータ５０を制御するＰＷＭ（Pulse Width Modulation）信号や回生時の電力は、不図示の端子から入出力される。
【００６０】
＜減速機構＞
図４に示すように、減速機構６０は、伝動ケース４５の後端部右側に連なる伝達室６５内に設けられている。減速機構６０は、ドリブンプーリ４３よりも車幅方向内側に配置されている。減速機構６０は、従動軸４９及び後輪車軸４ａと平行に軸支された中間軸６１と、従動軸４９の右端部及び中間軸６１の右側部にそれぞれ形成された第１の減速ギア対６２ａ，６２ｂと、中間軸６１の左側部及び後輪車軸４ａの左端部にそれぞれ形成された第２の減速ギア対６３ａ，６３ｂと、を備えている。
かかる構成により、従動軸４９の回転は所定の減速比にて減速され、後輪車軸４ａに伝達される。
【００６１】
＜制御ユニット＞
図示はしないが、制御ユニットは、エンジン２０，ＡＣＧスタータモータ３７及び駆動モータ５０を統括制御する。例えば、制御ユニットは、ＣＰＵ（Central Processing Unit）、ＲＯＭ（Read Only Memory）及びＲＡＭ（Random Access Memory）等を備えている。
【００６２】
制御ユニットは、不図示のスロットルバルブの開度を検出するスロットル開度センサや、吸気管３２（図２参照）内の負圧を検出する負圧センサ、ロータセンサ５２ｄ（図４参照）等からの情報を受けて、ＡＣＧスタータモータ３７や駆動モータ５０の各ドライバ３７ａ，５０ａ（図１参照）や、エンジン２０の点火プラグ２６（図３参照）を作動させる点火装置に所定の制御信号を出力する。
【００６３】
以上の構成からなる自動二輪車１において、エンジン始動時は、クランクシャフト２１上のＡＣＧスタータモータ３７を用いてクランクシャフト２１を回転させる。このとき、遠心クラッチ５５は接続されておらず、クランクシャフト２１から変速機４１への動力伝達がされたとしても、ドリブンプーリ４３から従動軸４９への動力伝達は遮断されている。そして、クランクシャフト２１の回転と同期してシリンダ２３内に吸気された燃料混合気を点火プラグ２６で燃焼させ、ピストン２５を往復運動させる。
そして、スロットルグリップの操作量に対応して、クランクシャフト２１の回転数が所定値（例えば、３０００ｒｐｍ）を越えると、クランクシャフト２１の回転動力が変速機４１及び遠心クラッチ５５を介して減速機構６０に伝達され、後輪４が駆動される。
【００６４】
この発進時に、バッテリ１８からの給電により駆動モータ５０を稼動させ、エンジン動力による従動軸４９の回転をアシストすることも可能である。駆動モータ５０の駆動力は、駆動ギア５７及び従動ギア５８を介して従動軸４９に伝達される。
【００６５】
エンジン２０のみで走行している場合において、加速時や高速時など負荷が大きいときは、駆動モータ５０でエンジン走行をアシストすることもできる。このとき、従動軸４９には、ピストン２５の往復運動によるクランクシャフト２１の回転動力が変速機４１、遠心クラッチ５５を介して伝達されると共に、駆動モータ５０からの動力が駆動ギア５７及び従動ギア５８を介して伝達され、これらの合成動力が減速機構６０を介して後輪４を駆動する。
【００６６】
以上説明したように、上記実施形態は、エンジン２０と、エンジン２０の駆動力を後輪４に伝達する変速機４１と、駆動モータ５０と、を備えた自動二輪車１において、変速機４１は、エンジン２０のクランクシャフト２１の側に配置されるドライブプーリ４２と、後輪４の側に配置されるドリブンプーリ４３と、を備え、駆動モータ５０の少なくとも一部は、車幅方向でドリブンプーリ４３と重なって配置され、側面視で、モータ出力軸５１ａは、後輪４の車軸４ａとは異なる位置に配置されている。
この構成によれば、駆動モータ５０の少なくとも一部が車幅方向でドリブンプーリ４３と重なっていることで、駆動モータ５０が車幅方向でドリブンプーリ４３と重ならない位置（例えば、駆動モータ５０がドリブンプーリ４３よりも車幅方向外側）に配置された場合と比較して、車幅方向でコンパクト化することができる。また、側面視でモータ出力軸５１ａが後輪車軸４ａとは異なる位置に配置されていることで、モータ出力軸５１ａが後輪車軸４ａと同軸上に配置された場合と比較して、車幅方向でより効果的にコンパクト化することができる。
【００６７】
また、上記実施形態では、駆動モータ５０がドリブンプーリ４３の後端部４３ｅよりも後方に配置されていることで、レイアウト上の制約を回避しつつ車幅方向でコンパクト化することができる。例えば、駆動モータ５０をドリブンプーリ４３よりも前方に配置しようとした場合、ドリブンプーリ４３の前方にはドライブプーリ４２が存在するため、車幅方向外側に膨らむ可能性がある。一方、駆動モータ５０をドリブンプーリ４３よりも下方に配置しようとした場合、地上高さの確保が難しくなる。さらに、駆動モータ５０をドリブンプーリ４３よりも上方に配置しようとした場合、揺動時に上方の部材との干渉等を考慮する必要がある。
【００６８】
また、上記実施形態では、ドリブンプーリ４３よりも車幅方向内側には減速機構６０が設けられ、ドリブンプーリ４３よりも車幅方向外側には従動ギア５８が設けられ、駆動モータ５０よりも車幅方向外側には駆動モータ５０の駆動力を従動ギア５８に伝達する駆動ギア５７が設けられていることで、従動ギア５８及び駆動ギア５７がドリブンプーリ４３よりも車幅方向内側（すなわち、減速機構６０の側）に設けられた場合と比較して、十分なスペースを確保することができるため、ギア設計の自由度を向上することができる。
【００６９】
また、上記実施形態では、ドリブンプーリ４３よりも車幅方向外側には遠心クラッチ５５が設けられ、遠心クラッチ５５は従動ギア５８よりも車幅方向内側に配置されていることで、遠心クラッチが従動ギア５８よりも車幅方向外側に配置された場合と比較して、車幅方向でより効果的にコンパクト化することができる。
【００７０】
また、上記実施形態では、モータ出力軸５１ａの車幅方向内端部を回転可能に支持する第一軸受５３と、駆動ギア５７よりも車幅方向外側に配置されるとともにモータ出力軸５１ａの車幅方向外端部を回転可能に支持する第二軸受５４とを更に備えていることで、モータ出力軸５１ａを両持ちにできるため、モータ出力軸５１ａを片持ちにした場合と比較して、モータ出力軸５１ａを安定して支持することができる。
【００７１】
なお、上記実施形態では、鞍乗り型ハイブリッド車両の一例としてのユニットスイング式の自動二輪車１を例に挙げて説明したが、これに限らない。例えば、ユニットスイング式以外の自動二輪車（例えば、車体側にエンジン２０を搭載した自動二輪車）であってもよい。
【００７２】
また、上記実施形態では、ドリブンプーリ４３よりも後方に後輪車軸４ａが配置されている例を挙げて説明したが、これに限らない。例えば、前後方向でドライブプーリ４２とドリブンプーリ４３との間に後輪車軸４ａが配置されていてもよい。
【００７３】
また、上記実施形態では、変速機４１が、ドライブプーリ、ドリブンプーリ４３及びＶベルトを備えた例を挙げて説明したが、これに限らない。例えば、変速機４１が、ギア伝達及びチェーン伝達等の他の動力伝達を可能とする部材を備えていてもよい。
【００７４】
また、上記実施形態では、変速機４１がエンジン２０の駆動力を後輪４に伝達する構成を例に挙げて説明したが、これに限らない。例えば、変速機４１がエンジン２０の駆動力を前輪３に伝達する構成であってもよい。
【００７５】
また、上記実施形態では、動力伝達構造４０が、変速機４１、遠心クラッチ５５、従動軸４９及び減速機構６０等を備えている構成を例に挙げて説明したが、これに限らない。例えば、動力伝達構造４０が、エンジン２０及び駆動モータ５０から後輪４側には動力を伝達するが、後輪４からエンジン２０側には動力を伝達しないワンウェイクラッチを更に備えていてもよい。
【００７６】
なお、本発明は上記実施形態に限られるものではなく、例えば、前記鞍乗り型ハイブリッド車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。また、本発明は、自動二輪車のみならず、自動車等の四輪の車両にも適用可能である。
そして、上記実施形態における構成は本発明の一例であり、実施形態の構成要素を周知の構成要素に置き換える等、本発明の要旨を逸脱しない範囲で種々の変更が可能である。
【符号の説明】
【００７７】
１  自動二輪車（鞍乗り型ハイブリッド車両）
４  後輪
２０  エンジン
２１  クランクシャフト
４１  変速機（動力伝達機構）
４２  ドライブプーリ
４３  ドリブンプーリ
４３ｅ  ドリブンプーリの後端部
５０  駆動モータ（モータ）
５３  第一軸受
５４  第二軸受
５５  遠心クラッチ
５７  駆動ギア
５８  従動ギア
６０  減速機構
【図１】
2017154675.tif 000003
【図２】
2017154675.tif 000004
【図３】
2017154675.tif 000005
【図４】
2017154675.tif 000006